(57)【要約】【課題】必要に応じて棒体の取付け又は取外し作業を簡単且つ安全に行うことができ、又、樋継手本体の内部に落葉等が侵入した場合に、棒体を取外して落葉等を容易に除去することができる樋継手を提供する。【解決手段】集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、前記蓋体２の内面には、前記流入口１１に向けて棒体３が立設されてなる樋継手Ａであって、  前記蓋体２の内面中央近傍には係止受部２１を設け、この係止受部２１に係脱可能な係止部３１を前記棒体３の下端に形成し、前記棒体３を着脱可能にする。【選択図】図１
2007218014.tif 000002
【特許請求の範囲】
【請求項１】
集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体の内面には、前記流入口に向けて棒体が立設されてなる樋継手であって、
前記蓋体の内面中央近傍には係止受部を設け、この係止受部に係脱可能な係止部を前記棒体の下端に形成し、前記棒体を着脱可能にしたことを特徴とする樋継手。
【請求項２】
請求項１において、
係止受部と係止部は、嵌合又は螺合により着脱可能にしたことを特徴とする樋継手。
【発明の詳細な説明】
【技術分野】
【０００１】
本発明は、流入口と流出口を備えたエルボ状の樋継手本体の曲部近傍に開口部が形成されると共に、この開口部を封止可能な蓋体が着脱自在に取り付けられ、且つ、前記蓋体の内面には、前記流入口に向けて棒体が立設されてなり、前記流入口を、集水器等の集水体（以下、「集水体」と略する。）の集水口に連結すると共に、前記流出口を、竪樋の端部に連結して、前記集水体に集水される雨水等を前記竪樋に排水するための樋継手に関する。
【背景技術】
【０００２】
従来の樋継手は、軒樋の下流端に設置された集水体の集水口に、流入口と流出口を備えたエルボ状の樋継手本体の流入口を連結すると共に、この樋継手本体の流出口には、竪樋の上端部に内嵌する樋嵌合筒部を備えてなり、前記樋嵌合筒部を竪樋の上端部に内嵌させて、集水体と竪樋とを連通させ、集水体に集水される雨水等が、この樋継手を介して竪樋に通じて排水される構造のものが知られている（例えば、特許文献１参照。）。
【特許文献１】特開平８−１０９７１４号
【発明の開示】
【発明が解決しようとする課題】
【０００３】
ところで、前記集水体は、一般に、上方が開放された箱状に形成され、その底壁に集水口が形成された構造になっている。
【０００４】
そのため、前記集水体の上方から、例えば、ボール等の侵入物が侵入すると、前記侵入物が集水体の集水口を塞いでしまい、雨水等を竪樋を通じて排水できないばかりでなく、集水体に雨水等が貯水されて、やがて集水体から溢れ出てしまうという問題があった。
【０００５】
又、前記集水体に集水された雨水等は、その集水体の排水口の大きさに比例して排水されるが、豪雨等の際に多量の雨水等が流れ込んだ場合には、前記集水体の排水口から雨水等がスムーズに排水されずに、集水体から雨水等が溢れ出すことがあるという問題がある。
【０００６】
そこで、本出願人は、これらの問題を解決するため、エルボ状の樋継手本体の曲部近傍に、開口部を形成すると共に、この開口部を封止可能な蓋体を着脱自在に取り付け、しかも、前記蓋体の内面中央近傍には、前記流入口に向けて棒体を立設することによって、ボール等の侵入物の侵入を阻止すると共に、雨水等をスムーズに排水できる樋継手を発明し、既に出願している。
【０００７】
しかしながら、前記棒体は、蓋体に固着された一体的な構造のものであったため、例えば、この棒体が不要な場合には、この棒体を立設していない樋継手を取り付ける必要があった。
【０００８】
又、樋継手本体の内部に落葉等が侵入した場合に、落葉等を除去し難く、雨水等の排水が損なわれるという問題があった。
【０００９】
本発明は、かかる課題を解決することを目的としたものであり、エルボ状の樋継手本体の曲部近傍に、開口部を形成すると共に、この開口部を封止可能な蓋体が着脱自在に取り付けられた樋継手の前記蓋体に、前記流入口に向けて立設される棒体を着脱可能な構造にすることで、必要に応じて前記棒体の取付け又は取外し作業を簡単且つ安全に行うことができ、又、樋継手本体の内部に落葉等が侵入した場合に、棒体を取外して落葉等を容易に除去することができる樋継手を提供するものである。
【課題を解決するための手段】
【００１０】
上記目的を達成するため、
請求項１に係る樋継手は、集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体の内面には、前記流入口に向けて棒体が立設されてなる樋継手であって、前記蓋体の内面中央近傍には係止受部を設け、この係止受部に係脱可能な係止部を前記棒体の下端に形成し、前記棒体を着脱可能にしたことを特徴とする。
【００１１】
請求項２に係る樋継手は、請求項１において、係止受部と係止部は、嵌合又は螺合により着脱可能にしたことを特徴とする。
【発明の効果】
【００１２】
本発明によれば、次のような効果がある。
請求項１に係る樋継手によれば、蓋体の内面中央近傍には係止受部を設け、この係止受部に係脱可能な係止部を前記棒体の下端に形成して、この棒体を着脱可能にしているので、前記棒体の取付け又は取外し作業えを行う際には、樋継手本体の開口部を封止している蓋体を取外して、その係止受部に棒体の下端を着脱したうえで、この蓋体を再び開口部に封止するだけで良く、棒体の取付け又は取外しを簡単且つ安全に行うことができ、又、樋継手本体の内部に落葉等が侵入した場合に、棒体を取外して落葉等を容易に除去することができる。
【００１３】
請求項２に係る樋継手によれば、係止受部と係止部は、嵌合又は螺合により着脱可能にしているため、例えば、嵌合による場合には、棒体を素早くワンタッチで着脱することができ、また、螺合による場合には、棒体を回動させるだけで簡単且つ確実に着脱できる。
【発明を実施するための最良の形態】
【００１４】
以下、本発明に係る樋継手Ａを図面とともに説明する。
【実施例１】
【００１５】
図１は、本発明に係る樋継手Ａの一実施例を示す使用状態の分解斜視図、図２は、図１で示した樋継手Ａの概略断面図である。
【００１６】
この樋継手Ａは、集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、蓋体２の内面には、流入口１１に向けて棒体３が立設されてなる。
【００１７】
本発明は、蓋体２の内面中央近傍に係止受部２１を設け、この係止受部２１に係脱可能な係止部３１を棒体３の下端に形成することで、この棒体３を蓋体２に着脱可能にしたことを特徴にしている。
【００１８】
以下、各部材について詳説する。
【００１９】
集水体Ｓは、上方が開放された箱状に形成されており、その一側壁には従来同様、軒樋Ｔ’の下流端が連通され、また、中央には、貫通された集水口Ｓ１が形成されている。
【００２０】
ここで、集水体Ｓとは、本実施例で例示した集水器に限定されるものではなく、例えば、受け升、ドレン、チーズ等の集水体具の総称を意味している。なお、集水体Ｓの形状も丸型、角型等に限定されるものではない。
【００２１】
樋継手本体１は、直管の側壁に、他の直管を水平よりも僅かに下方に向けて連結した断面略Ｌ型或いは略Ｔ型のエルボ状に一体形成してなり、上方の開口を流入口１１とし、側方の開口を流出口１２としている。
【００２２】
又、樋継手本体１には、流入口１１の下方に向けて開口部１３が形成されるが、この開口部１３には、後述の蓋体２が装着されるため、流入口１１からの雨水等は、曲流されて流出口１２から排出されることとなる。
【００２３】
このように形成された樋継手本体１は、その流入口１１を、従来と同様、集水体Ｓの集水口Ｓ１に外嵌するように、流入口１１を嵌め込めば、樋継手本体１が集水体Ｓに連結して固定される。
【００２４】
一方、樋継手本体１の流出口１２には、竪樋Ｔの上端部Ｔ１に内嵌する樋嵌合筒部１４を形成しており、この樋嵌合筒部１４を竪樋Ｔの上端部Ｔ１に内嵌して連結している。
【００２５】
また、樋継手本体１の開口部１３には、これを封止可能な蓋体２が着脱自在に取り付けられる構造にしている。
【００２６】
この蓋体２は、上方が開放された、開口部１３を封止可能な有底筒状体であって、本実施例では、開口部１３の外側壁に、ネジ山１３ａを周方向に形成すると共に、このネジ山１３ａに螺合可能な螺合部２２を、蓋体２の内側壁に形成することで、蓋体２を開口部１３に着脱可能な構造にしている。なお蓋体２は、開口部１３を封止可能にするとともに開口部１３に取り外し可能な構造のものであれば、他の構造であっても構わない。
【００２７】
このような蓋体２の底面２３の中央には、棒体３を立設して保持可能な筒状の係止受部２１を形成している。
【００２８】
本実施例で示す係止受部２１は、棒体３の下端を嵌合可能な上方を開放した筒状体を蓋体２と一体形成したものであるが、棒体３を立設して保持可能な構造であれば、これに限定されるものではない。
【００２９】
更に、蓋体２の内底面には、これを開口部１３に螺合した際に、その隙間からの水漏れを止水するためのゴムパッキン等のシール部材２４を装着しておくのが好ましい。
【００３０】
棒体３は、その名の通り、中実または中空の単なる棒状に形成したものであるが、この棒体３の長さは、蓋体２を開口部１３に装着した状態において、棒体３の上端が流入口１１よりも上方に突出する程度に形成するのが好ましい。
【００３１】
図３は、蓋体２と棒体３の他の実施例を示した斜視図である。
【００３２】
ここで、図１、２と共通する部位には、同一の番号を付し、以下、本実施例の特徴についてのみ説明する。
【００３３】
すなわち、この蓋体２に形成された係止受部２１は、上方を開放した筒状体の内側壁にネジ溝を形成すると共に、このネジ溝に螺合されるネジ山を係止部３１として棒体３の下端に形成している。
【００３４】
このように係止受部２１と係止部３１を螺合した構造にすれば、棒体３を蓋体２に対して簡単且つ確実に取付けできる。
【００３５】
上記の如く構成した本発明の樋継手Ａの使用要領を図１、２に基づき説明する。
【００３６】
先ず、本発明における樋継手本体１の流入口１１を、集水体Ｓの集水口Ｓ１に連結固定すると共に、樋継手本体１の流出口１２に、竪樋Ｔの上端部を連結させて固定する。
【００３７】
次に、棒体３が必要であれば、蓋体２の係止受部２１に、棒体３の下端を嵌合又は螺合して、この棒体３を蓋体２に立設させた状態に固定する。
【００３８】
一方、棒体３が不要であれば、棒体３を取り付けない。
【００３９】
そして、樋継手本体１の開口部１３に向けて、棒体３を貫通させながら、蓋体２を嵌め合わせて螺合すれば、図２で示すように、棒体３が立設された状態で簡単に装着でき、樋継手Ａの設置を完了する。
【００４０】
この設置完了後、集水体Ｓの上方からボール等の侵入物（不図示）が侵入しようとしても、突出された棒体３の上端部が、これを邪魔して集水体Ｓの内部に侵入することを阻止し、前記侵入物（不図示）が集水口Ｓ１を塞いで、雨水等の詰まりを防止できる。
【００４１】
また、集水された雨水等は、棒体３の整流作用によって、樋継手本体１内に雨水等が滞留することなく、流出口１２からスムーズに排水されるのである。
【００４２】
そして、その後の周辺事情によって、樋継手Ａの棒体３が不要になった場合には、蓋体２を樋継手本体１から取外したうえで、上記と同要領にして樋継手本体１の開口部１３に向けて、蓋体２を嵌め合わせて螺合すれば、棒体３の取付け又は取外しを簡単且つ安全に行うことができるのである。
【００４３】
又、樋継手本体１の内部に落葉等が侵入した場合には、蓋体２を樋継手本体１から取外したうえで棒体３を取外せば、その落葉等を容易に除去することができるのである。
【図面の簡単な説明】
【００４４】
【図１】本発明に係る樋継手Ａの一実施例を示す使用状態の分解斜視図である。
【図２】図１で示した樋継手Ａの概略断面図である。
【図３】蓋体２と棒体３の他の実施例を示した斜視図である。
【符号の説明】
【００４５】
Ａ      樋継手
Ｓ      集水体
Ｓ１    集水口
Ｔ      竪樋
１      樋継手本体
１１    流入口（雨水等の上流側口）
１２    流出口（雨水等の下流側口）
１３    開口部
２      蓋体
２１    係止受部
３      棒体
３１    係止部
【図１】
2007218014.tif 000003
【図２】
2007218014.tif 000004
【図３】
2007218014.tif 000005